(57)【要約】【課題】物品に付与された懸賞などの懸賞応募において、たとえばビール飲料を１本ずつ購入するよりも１ケースまとめて購入する顧客を優遇すること。また、継続して購入して冷蔵庫内に常時ストックしている愛用者を優遇すること。【解決手段】物品１０に添付された懸賞応募情報を読み込む読取手段２と、懸賞応募情報を記憶する記憶手段３と、記憶手段３に記憶された複数の懸賞応募情報から物品の複数一括購入を検知する検知手段４と、検知手段４で検知した懸賞応募情報を懸賞サーバ３０に送信する送信手段５とを有し、検知手段４は複数一括購入や継続購入を検知したときに購入特典を付与して懸賞応募情報を送信させる。【選択図】図１
2008282300.tif 000002
【特許請求の範囲】
【請求項１】
物品に添付された懸賞応募情報を読み込む読取手段と、前記懸賞応募情報を記憶する記憶手段と、前記記憶手段に記憶された複数の懸賞応募情報から前記物品の複数一括購入を検知する検知手段と、前記検知手段で検知した懸賞応募情報を所定の相手に送信する送信手段とを有し、
前記検知手段は前記複数一括購入を検知したときに特典情報を付与して前記懸賞応募情報を送信させる冷蔵庫。
【請求項２】
物品に添付された懸賞応募情報を読み込む読取手段と、前記懸賞応募情報を記憶する記憶手段と、前記記憶手段に記憶された複数の懸賞応募情報から前記物品の継続購入を検知する検知手段と、前記検知手段で検知した懸賞応募情報を所定の相手に送信する送信手段とを有し、
前記検知手段は前記継続購入を検知したときに特典情報を付与して前記懸賞応募情報を送信させる冷蔵庫。
【請求項３】
前記懸賞応募情報には出荷済み情報または販売済み情報の少なくとも一部を備え、前記検知手段は前記読取手段で読み込んだ前記懸賞応募情報の前記出荷済み情報または販売済み情報を参照して、出荷済みまたは販売済みであるときにのみ前記懸賞応募情報を送信させる請求項１または２記載の冷蔵庫。
【請求項４】
前記読取手段、前記記憶手段、前記検知手段、前記送信手段のうちの一部を前記冷蔵庫と別筐体として分離させた請求項１または２記載の冷蔵庫。
【請求項５】
物品に添付された懸賞応募情報を読み込む読取ステップと、前記懸賞応募情報を記憶する記憶ステップと、前記記憶ステップで記憶された複数の懸賞応募情報から前記物品の複数一括購入を検知する検知ステップと、前記検知ステップで検知した懸賞応募情報を所定の相手に送信する送信ステップとを有し、
前記検知ステップにおいて前記複数一括購入を検知したときに特典情報を付与して前記懸賞応募情報を送信させる冷蔵庫の制御方法。
【請求項６】
物品に添付された懸賞応募情報を読み込む読取ステップと、前記懸賞応募情報を記憶する記憶ステップと、前記記憶ステップで記憶された複数の懸賞応募情報から前記物品の継続購入を検知する検知ステップと、前記検知ステップで検知した懸賞応募情報を所定の相手に送信する送信ステップとを有し、
前記検知ステップにおいて前記継続購入を検知したときに特典情報を付与して前記懸賞応募情報を送信させる冷蔵庫の制御方法。
【請求項７】
請求項１〜３のいずれか記載の冷蔵庫において少なくとも一部をコンピュータに実行させるためのプログラム。
【発明の詳細な説明】
【技術分野】
【０００１】
本発明は、物品に添付された懸賞応募情報を読み込んで所定の相手に送信する冷蔵庫に関するものである。
【背景技術】
【０００２】
近年、非接触で情報を読み出すことが出来る無線ＩＣタグが注目を集め、無線ＩＣタグの冷蔵庫への応用がさまざまなところで検討されている。その一つとして、筆者は懸賞などの懸賞応募シールに着目した。
【０００３】
例えば、ビール飲料のように、缶に貼られた懸賞応募シールを集め台紙に貼って飲料会社に郵送するものがある。
【０００４】
これに無線ＩＣタグを利用して、無線ＩＣタグのタグ情報の一部に懸賞応募情報を含ませ、例えば冷蔵庫でそれを読み込んませることが考えられる。
【０００５】
例えば、特許文献１の段落００２０において、無線ＩＣタグに記憶された商品識別子を懸賞クーポンとして利用することが記載されている。また特許文献２の図７および段落００３０において、無線ＩＣタグの識別コード別に懸賞の有無情報を有することが記載されている。
【特許文献１】特開２００１−２４３３６４号公報
【特許文献２】特開２００５−２２１１７７号公報
【発明の開示】
【発明が解決しようとする課題】
【０００６】
しかしながら、上記特許文献１、２は、単に無線ＩＣタグに懸賞応募シールの情報を含ませたものである。懸賞応募情報をどのように扱うかについて詳細な記載は見あたらない。
【０００７】
このような懸賞応募シールを付与する意図として、メーカは顧客の自社製品に対する購買意欲を高めるために行う。
【０００８】
そのため、たとえば、ビール飲料を１本ずつ購入するよりも１ケースまとめて購入する顧客を優遇にしたい。また、継続して自社製品を購入して３６５日冷蔵庫内に常時ストックしている愛用者を優遇にしたい。
【０００９】
従来の懸賞応募シールでは一括して印刷する関係で、無線ＩＣタグのような詳細情報を具備することができず、このような点についてきめ細かく対応することは困難であった。したがって極端な例ではあるが、ゴミ箱から拾い集めてきた懸賞応募シールでも、１ケースまとめて購入するような愛用者でも同じ懸賞応募シールとして扱わざるをえなかった。
【００１０】
本発明はこのような不公平感を解決するもので、とくに複数一括購入や継続購入する愛用者の懸賞応募情報を優位にするものである。
【課題を解決するための手段】
【００１１】
そこで、前記の課題を解決するために、本発明の冷蔵庫は、物品に添付された懸賞応募情報を読み込む読取手段と、前記懸賞応募情報を記憶する記憶手段と、前記記憶手段に記憶された複数の懸賞応募情報から前記物品の複数一括購入を検知する検知手段と、前記検
知手段で検知した懸賞応募情報を所定の相手に送信する送信手段とを有し、前記検知手段は前記複数一括購入を検知したときに特典情報を付与して前記懸賞応募情報を送信させるものである。
【００１２】
そして、物品の複数一括購入を検知したときに特典情報を付与して懸賞応募情報を所定の相手に送信するので、単品購入と複数一括購入とを区別して応募することができる。
【００１３】
また、検知手段は物品の継続購入を検知したときに特典情報を付与して懸賞応募情報を所定の相手に送信するので、単一入と継続購入とを区別して応募することができる。
【発明の効果】
【００１４】
これにより、本発明の冷蔵庫は、複数一括購入や継続購入する愛用者の懸賞応募情報を優位にすることが可能となり、懸賞の役割を増大させることができる。
【発明を実施するための最良の形態】
【００１５】
第１の発明は、物品に添付された懸賞応募情報を読み込む読取手段と、前記懸賞応募情報を記憶する記憶手段と、前記記憶手段に記憶された複数の懸賞応募情報から前記物品の複数一括購入を検知する検知手段と、前記検知手段で検知した懸賞応募情報を所定の相手に送信する送信手段とを有し、前記検知手段は前記複数一括購入を検知したときに特典情報を付与して前記懸賞応募情報を送信させる冷蔵庫である。
【００１６】
そして、物品の複数一括購入を検知したときに購入特典を付与して懸賞応募情報を所定の相手に送信するので、単品購入と複数一括購入とを区別して応募することができる。
【００１７】
第２の発明は、物品に添付された懸賞応募情報を読み込む読取手段と、前記懸賞応募情報を記憶する記憶手段と、前記記憶手段に記憶された複数の懸賞応募情報から前記物品の継続購入を検知する検知手段と、前記検知手段で検知した懸賞応募情報を所定の相手に送信する送信手段とを有し、前記検知手段は前記継続購入を検知したときに特典情報を付与して前記懸賞応募情報を送信させる冷蔵庫である。
【００１８】
そして、物品の継続購入を検知したときに購入特典を付与して懸賞応募情報を所定の相手に送信するので、単一購入と継続購入とを区別して応募することができる。
【００１９】
第３の発明は、上記第１または第２の冷蔵庫において、前記懸賞応募情報には、出荷済み情報または販売済み情報の少なくとも一部を備え、前記検知手段は前記読取手段で読み込んだ前記懸賞応募情報の前記出荷済み情報または販売済み情報を参照して出荷済みまたは販売済みであるときにのみ前記懸賞応募情報を送信させる。
【００２０】
そして、出荷済み情報または販売済み情報を参照して出荷済みまたは販売済みであるときにのみ懸賞応募情報を送信させるので、出荷前の工場や販売前の店頭、あるいはそのあいだの輸送中に懸賞応募情報を無断で読み込まれてもそれを応募に使用することが出来ない。無線ＩＣタグでは目に見えず一瞬・一括で情報収集が可能となるので、無断収集に対する保護が可能となる。
【００２１】
第４の発明は、上記第１または第２の冷蔵庫において、前記読取手段、前記記憶手段、前記検知手段、前記送信手段のうちの一部を前記冷蔵庫と別筐体として分離させたものである。
【００２２】
そして、冷蔵庫から分離することでより好適な構成とすることができる。たとえば、冷蔵庫と通信回線で接続したサーバに記憶手段、検知手段、送信手段を備えてもよい。また
読取手段を冷蔵庫と有線（または無線）で接続する形態としてもよい。
【００２３】
第５の発明は、物品に添付された懸賞応募情報を読み込む読取ステップと、前記懸賞応募情報を記憶する記憶ステップと、前記記憶ステップで記憶された複数の懸賞応募情報から前記物品の複数一括購入を検知する検知ステップと、前記検知ステップで検知した懸賞応募情報を所定の相手に送信する送信ステップとを有し、前記検知ステップにおいて前記複数一括購入を検知したときに特典情報を付与して前記懸賞応募情報を送信させる冷蔵庫の制御方法である。
【００２４】
そして、物品の複数一括購入を検知したときに購入特典を付与して懸賞応募情報を所定の相手に送信するので、単品購入と複数一括購入とを区別して応募することができる。
【００２５】
第６の発明は、物品に添付された懸賞応募情報を読み込む読取ステップと、前記懸賞応募情報を記憶する記憶ステップと、前記記憶ステップで記憶された複数の懸賞応募情報から前記物品の継続購入を検知する検知ステップと、前記検知ステップで検知した懸賞応募情報を所定の相手に送信する送信ステップとを有し、前記検知ステップにおいて前記継続購入を検知したときに特典情報を付与して前記懸賞応募情報を送信させる冷蔵庫の制御方法である。
【００２６】
そして、物品の継続購入を検知したときに購入特典を付与して懸賞応募情報を所定の相手に送信するので、単一購入と継続購入とを区別して応募することができる。
【００２７】
第７の発明は、上記第１〜３のいずれか記載の冷蔵庫において少なくとも一部をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００２８】
以下、本発明の実施の形態について、図面を用いて一実施形態について詳細に説明する。なお、この実施の形態によって本発明が限定されるものではない。
【００２９】
（実施の形態１）
本実施の形態は、物品に添付された無線ＩＣタグから懸賞応募情報を冷蔵庫で読み取り、その情報を加工してサーバに送信することで、懸賞に応募するものである。
【００３０】
図１はその冷蔵庫などのシステム構成一例を示す図である。
【００３１】
物品１０には懸賞応募情報を記憶した無線ＩＣタグ１１が添付されている。なお、添付の形態については、物品１０の外装に貼る、外装の中に含めるなど様々な形態が考えられるが本実施の形態では特にそれにこだわるものではないので、これらをまとめて「物品に添付された」と表現する。懸賞応募情報の詳細については後述する。
【００３２】
なお、無線ＩＣタグによらず、懸賞応募情報を記憶し読み書き可能な媒体であれば構わない。
【００３３】
冷蔵庫１は、読取手段２、記憶手段３、検知手段４、送信手段５、報知手段６を備える。また冷蔵庫のドア７の開閉を検知するドア開閉センサ８を備える。
【００３４】
読取手段２は、物品１０に添付された懸賞応募情報を読み込む。たとえば、無線ＩＣタ
グリーダ・ライターである。これは冷蔵庫内に設置して庫内に入れたときに読み込んでも良いし、冷蔵庫のドアの外側に設置して庫内に入れる前に読み込むでもよい。あるいは庫内にいれない物品も使用者が近づけることによって読み込めるようにしてもよい。
【００３５】
記憶手段３は、読取手段２で読み込んだ懸賞応募情報を記憶する。たとえば、一時的に記憶するような半導体メモリ（マイコンを含む）でも半永久に記憶できるような磁気ディスクでも構わない。
【００３６】
検知手段４は、記憶手段３に記憶された複数の懸賞応募情報から物品の複数一括購入や継続購入を検知する。たとえば、マイコンなどの演算手段である。この検知のアルゴリズムについては後述する。
【００３７】
送信手段５は、検知手段４で検知した懸賞応募情報を所定の相手に送信する。所定の相手は、例えば物品１０のメーカの懸賞サーバ３０であり、インターネットなどの通信ネットワーク２０を介して送信する。もちろん送信の手続きの中で、懸賞サーバ３０からの認証信号などの受信を行ってもよい。
【００３８】
報知手段６は、冷蔵庫の使用者に報知するもので、たとえば、表示ディプレイや報知音、音声ガイドなどである。これにより、読取手段２、記憶手段３、検知手段４、送信手段５の動作を使用者に知らせる。あるいは、使用者に実行してもよいかの確認を求め、キー操作などの入力手段（図示せず）によって確認させるところまでを含めても構わない。
【００３９】
ドア７は、冷蔵庫のドアである。使用者が冷蔵庫内に物品を入れたり出したりするときには必ずこのドア７を開閉する。
【００４０】
ドア開閉センサ８は、ドア７の開閉を検知して読取手段２、検知手段４、報知手段６に伝えて、ドアを開閉したときに読み取ったり、検知したり、報知させるものである。例えば、機械式または電磁式の接点スイッチでもよいし、ほかに様々な手段が考えられるが、本実施の形態の本質ではないのでここでは省く。
【００４１】
そして、懸賞応募情報は、たとえば図２のようなフォーマットが考えられる。
【００４２】
まず、物品１０に添付された無線ＩＣタグ１１に記憶されている懸賞応募情報を図２（ａ）に示す。もちろん、この順序でなくても構わないし、他に情報を加えても構わない。
【００４３】
（１）商品製造者情報は、その物品の製造者を識別するための情報である。たとえば、メーカーコードである。この情報によりその商品の製造者を識別することができる。
【００４４】
商品種類識別情報は、その物品の種類を識別するための情報である。たとえば、機種コードである。
【００４５】
（２）商品個別識別情報は、その物品の１つ１つを個別に識別するための情報である。たとえば、製造番号である。
【００４６】
（３）商品製造時間情報は、その物品を製造したときの時間を識別するための情報である。たとえば、製造年月日、さらに製造時刻、あるいはその一部である。また、製造時間は、文字通り製造したときの時間のほか、出荷したときの時間など運用上でいろいろな時間であってもよい。
【００４７】
以上の情報は、製造者の工場において書き込みが行われ、以後は読み込みのみ可能であ
る（Read Only）。そして以下の情報は読み書き可能である（Read & Wright）。
【００４８】
（４）出荷済み情報は、製造者の工場においては「未出荷」である。製造者から出荷されるときに「出荷済み」を無線ＩＣタグライターで書き込むことで、未出荷と出荷済みとを判別可能とする。すなわち、未出荷の段階で懸賞応募情報を無断で読み込むことがあっても、これを利用不能とすることで出荷前の工場で懸賞応募情報を無断で読み込まれてもそれを用いて応募することが出来ないようにする。
【００４９】
（５）販売済み情報は、製造者の工場においては「未販売」である。販売店で販売されるときに無線ＩＣタグライターで「販売済み」を書き込むことで、未販売と販売済みとを判別可能とする。すなわち、販売前の店頭、あるいは製造者とのあいだの輸送中に懸賞応募情報を無断で読み込まれてもそれを用いて応募することが出来ないようにする。
【００５０】
以上により、無線ＩＣタグでは目に見えず一瞬・一括で情報収集が可能となるので、無断収集に対する保護が可能となる。
【００５１】
（６）応募済み情報は、製造者の工場においては「未販売」である。冷蔵庫１で懸賞応募情報を送信したときに読取手段２で「応募済み」を書き込むことで、未応募と応募済みとを判別可能とする。すなわち、１つの懸賞応募情報を重複して使用出来ないようにする。
【００５２】
次に、物品１０のメーカの懸賞サーバ３０に送信する懸賞応募情報を図２（ｂ）に示す。
【００５３】
図２（ａ）との差異は、特典情報の付与である。
【００５４】
（７）特典情報は、懸賞応募情報を活用する際のパラメータである。たとえば、懸賞サーバで懸賞応募情報を受け付け、懸賞当選の処理を行うときに、特典情報があればその当選の確率を２倍にするものである。すなわち複数一括購入や継続購入する愛用者の懸賞応募情報を優遇して、懸賞の役割を増大させるものである。
【００５５】
特典情報は、単に「有／無」だけでもよいし、複数段階にして「２倍」「３倍」や倍率「１０」倍などのようにして記述してもよい。そのほか、愛用者に特典を与える形で、ポイントなど他の形態も考えられるが、ここではこれらをまとめて特典情報と呼ぶ。
【００５６】
以上の懸賞応募情報に、使用者情報や冷蔵庫情報などの発信者情報、認証情報、誤り検出・訂正情報、暗号化情報などを付加して送信手段５から懸賞サーバ３０に送信する。
【００５７】
以上の構成と情報に基づき、本実施の形態の動作について説明する。
【００５８】
図３は、冷蔵庫１の動作フローチャートである。
【００５９】
Ｓ１〜Ｓ３において、ドア開閉センサ８により、ドア７の開閉を検知し、ドア７が開閉したときに庫内の物品１０に添付された無線ＩＣタグ１１から懸賞応募情報を読み込む。報知手段６により、使用者に読み込んだ情報を知らせて確認させる。確認させて問題なければ記憶手段３に、懸賞応募情報を記憶する。
【００６０】
複数の物品１０（無線ＩＣタグ１１）が庫内に存在するときは、上記Ｓ１〜Ｓ３を繰り返す。また、物品１０を庫内から取り出すときは、読取手段２でその無線ＩＣタグを読み取り、記憶手段３の記憶から削除する。以上により、記憶手段３には現在庫内に存在する
無線ＩＣタグ１１の懸賞応募情報が全て記憶される。
【００６１】
次に、今回新たに読み込んだ懸賞応募情報の属性を１つずつ確認する。
【００６２】
Ｓ４において、出荷済み情報を参照して、「未出荷」である懸賞応募情報は、出荷前の工場で懸賞応募情報を無断で読み込まれた可能性を否定できないのでこれを無視する（懸賞応募情報を送信しない）。
【００６３】
Ｓ５において、販売済み情報を参照して、「未販売」である懸賞応募情報は、販売前の店頭または輸送中に懸賞応募情報を無断で読み込まれた可能性を否定できないのでこれを無視する（懸賞応募情報を送信しない）。
【００６４】
Ｓ６において、応募済み情報を参照して、「応募済み」である懸賞応募情報は、重複応募を防ぐためこれを無視する（懸賞応募情報を送信しない）。
【００６５】
以上のＳ４〜Ｓ６の属性確認をクリアした懸賞応募情報が有効なものとして、以下のＳ７、Ｓ８の処理を行って懸賞サーバ３０に送信される。送信が成功したことを使用者に知らせ、応募済み情報に「応募済み」を書き込む（Ｓ１１、Ｓ１２）。
【００６６】
このとき、本実施の形態では、複数一括購入と継続購入を検知して、この特典情報を懸賞応募情報に付与して懸賞サーバ３０に送信する。
【００６７】
まず、検知手段４で行う複数一括購入の検知アルゴリズム（Ｓ７）を図４で詳細に説明する。
【００６８】
Ｓ７１にて、今回新たに読み込んだ懸賞応募情報が、すでに記憶手段３に記憶済みの他の懸賞応募情報が有ることを確認する。他の懸賞応募情報が存在しなければ複数一括購入は無しと判断して検知アルゴリズムを終了する。
【００６９】
Ｓ７２にて、今回新たに読み込んだ懸賞応募情報が、すでに記憶手段３に記憶済みの他の懸賞応募情報と商品製造者情報が所定範囲内であることを確認する。たとえば、製造メーカが同じである、あるいはグループ関連メーカでなければ複数一括購入は無しと判断して検知アルゴリズムを終了する。
【００７０】
Ｓ７３にて、今回新たに読み込んだ懸賞応募情報が、すでに記憶手段３に記憶済みの他の懸賞応募情報と商品種類識別情報が所定範囲内であることを確認する。たとえば、製造機種が同じである、あるいは関連商品でなければ複数一括購入は無しと判断して検知アルゴリズムを終了する。
【００７１】
Ｓ７４にて、今回新たに読み込んだ懸賞応募情報が、すでに記憶手段３に記憶済みの他の懸賞応募情報と商品個別識別情報が所定範囲内であることを確認する。たとえば、製造番号が連続しているなど、ある一定範囲に入っていれば製造時期が同じ頃である可能性が高い。これを複数一括購入と判断し、特典情報をカウント（Ｓ８）して検知アルゴリズムを終了する。
【００７２】
また、Ｓ７５にて、今回新たに読み込んだ懸賞応募情報が、すでに記憶手段３に記憶済みの他の懸賞応募情報と商品製造時間情報が所定範囲内であることを確認する。製造時間が１週間以内など、ある一定範囲に入っていれば複数一括購入と判断し、特典情報をカウント（Ｓ８）して検知アルゴリズムを終了する。
【００７３】
以上のようにして、顧客が対象物品を一括して購入したことを検知する。物品の複数一括購入を検知したときに購入特典を付与して懸賞応募情報を所定の相手に送信するので、単品購入と複数一括購入とを区別して応募することができる。
【００７４】
なお、図４では、記憶済みの懸賞応募情報と比較して、商品個別識別情報が所定範囲内（Ｓ７４）であったり、商品製造時間情報が所定範囲内（Ｓ７５）であるときに同一種類の商品の一括購入の対象と判断しているが、これより緩やかにして、例えば、Ｓ７３の段階で関連商品の一括購入で特典情報をカウントしてもよい。もちろん、その場合、Ｓ７３とＳ７４、Ｓ７５とでカウントの重み付けを変更するように設定しても良い。
【００７５】
次に、検知手段４で行う継続購入の検知アルゴリズム（Ｓ９）を図５で詳細に説明する。
【００７６】
Ｓ９１〜Ｓ９３は、図４のＳ７１〜Ｓ７３と同じなので説明を割愛する。
【００７７】
Ｓ９４にて、在庫時間情報が所定範囲内であることを確認する。この在庫時間情報は、読取手段２において懸賞応募情報を読み込んだとき（図３のＳ２）に、その時間情報を記憶手段３に懸賞応募情報と併せて記憶する（Ｓ３）ものである。
【００７８】
図示しないが、冷蔵庫１は現在時刻を計時する計時手段を備え、冷蔵庫内に入れたときに無線ＩＣタグから読み込んだ情報と共に時間情報を記憶手段３に記憶する。また、冷蔵庫外に取り出されたときの時間情報を記憶手段３に記憶することで、庫内の在庫時間を管理している。
【００７９】
したがって、たとえば、物品Ａがいつからいつまで庫内に存在していたかを計測することが可能となる。
【００８０】
さて、Ｓ９４において、検知手段４は、一週間前から昨日まで物品Ａが庫内に存在していたことを記憶手段３から取得し、今日、物品Ｂが庫内に入れられたとき、その懸賞応募情報を比較して物品Ａと物品Ｂとが同じ種類（同じ商品種類識別情報）であることがわかったとき、これを継続購入と判断する。
【００８１】
すなわち、Ｓ９４において、Ｓ９１〜Ｓ９３までクリアした物品（同じ種類の商品）の在庫時間情報が所定範囲内（例えば、１週間以内）であるとき、使用者は以前に庫内に存在した物品を使用して無くなったので１週間以内に継続して購入した、と判断することができる。
【００８２】
あるいはまた、別の演算になるが、所定期間内（例えば１週間）に庫内に存在した物品を全て記憶しておき、同じ商品（商品製造者情報、商品種類識別情報が一致）が複数存在していたときに、これを継続購入と判断する方法も可能である。
【００８３】
なお、図５では、記憶済みの懸賞応募情報と比較して、商品種類識別情報が所定範囲内（Ｓ９３）にあったものを対象に、在庫時間情報が所定範囲内（Ｓ９４）であるときに同一種類の商品の継続購入対象と判断しているが、これより緩やかにして、例えば、Ｓ９２の段階で関連商品の一括購入で特典情報をカウントしてもよい。もちろん、その場合、Ｓ９２とＳ９３、Ｓ９４とでカウントの重み付けを変更するように設定しても良い。
【００８４】
以上のように、複数一括購入や継続購入を検知して特典情報を付与することで、そのような愛用者の懸賞応募情報を優位にすることが可能となり、懸賞の役割を増大させることができる。
【００８５】
もちろん、Ｓ７（複数一括購入検知）とＳ９（継続購入検知）との両方を行っても良いし、いずれか一方のみを行うのみでも構わない。
【００８６】
なお、本実施の形態１では、図１の構成を示したがこれに限るものではない。冷蔵庫１において、読取手段２、記憶手段３、検知手段４、送信手段５のうちの一部を冷蔵庫１と別筐体として分離させてもよい。
【００８７】
たとえば、冷蔵庫と通信ネットワークで接続したサーバ（懸賞サーバでも、新たなサーバ＝庫内在庫管理サーバでもよい）に記憶手段、検知手段、送信手段を備えてもよい。また読取手段を冷蔵庫と有線（または無線）で接続する形態としてもよい。本発明の効果を有する形態であれば各手段がどのように分離・接続されても構わない。
【００８８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００８９】
本発明は、冷蔵庫に限らず、物品に添付された懸賞応募情報を読み込む読取手段と、懸賞応募情報を記憶する記憶手段と、記憶手段に記憶された複数の懸賞応募情報から物品の複数一括購入を検知する検知手段と、検知手段で検知した懸賞応募情報を所定の相手に送信する送信手段とを有し、検知手段は前記複数一括購入を検知したときに購入特典を付与して前記懸賞応募情報を送信させるものであれば利用できる。
【００９０】
たとえば、携帯電話に備えられた無線ＩＣタグ読取装置や、インターネット接続可能な情報処理装置に備えられた無線ＩＣタグ読取装置などが考えられる。
【００９１】
また、懸賞応募情報に限らず、購入形態に応じて特典を異ならせる読取装置にも利用できる。
【図面の簡単な説明】
【００９２】
【図１】本発明の実施の形態１のシステム構成を示す図
【図２】懸賞応募情報のフォーマット図
【図３】本発明の実施の形態１の冷蔵庫の動作フローチャート
【図４】本発明の実施の形態１の冷蔵庫の詳細フローチャート
【図５】本発明の実施の形態１の冷蔵庫の詳細フローチャート
【符号の説明】
【００９３】
１  冷蔵庫
２  読取手段
３  記憶手段
４  検知手段
５  送信手段
６  報知手段
１０  物品
１１  無線ＩＣタグ
２０  通信ネットワーク
３０  懸賞サーバ
【図２】
2008282300.tif 000003
【図３】
2008282300.tif 000004
【図４】
2008282300.tif 000005
【図５】
2008282300.tif 000006
【図１】
2008282300.tif 000007